(57)【要約】【課題】ケーブル導出孔の形成位置が異なる電子機器にも共用できる電源プレートを提供する。【解決手段】ホスト機器４０のバッテリ収容部４１に収容されるプレート本体２と、一端がプレート本体２に保持され、他端がバッテリ収容部４１の導出孔４５よりホスト機器４０外部に導出されるとともに電源と接続されるコネクタ５が形成されたケーブル３とを備え、ホスト機器４０に駆動電源を供給する電源プレート１において、プレート本体２には、ケーブル３の一端を保持する保持部１５と、保持部１５よりプレート本体２の外周方向に向かって形成され、ホスト機器４０に形成された導出孔４５の位置に応じてケーブル３の導出方向を変える複数の導出路１６が設けられている。【選択図】図４
2008118393.tif 000002
【特許請求の範囲】
【請求項１】
ホスト機器のバッテリ収容部に収容されるプレート本体と、一端が上記プレート本体に保持され、他端が上記バッテリ収容部の導出孔よりホスト機器外部に導出されるとともに電源と接続されるコネクタが形成されたケーブルとを備え、上記ホスト機器に駆動電源を供給する電源プレートにおいて、
上記プレート本体には、上記ケーブルの一端を保持する保持部と、該保持部より上記プレート本体の外周方向に向かって形成され、上記ホスト機器に形成された導出孔の位置に応じて上記ケーブルの導出方向を変える複数の導出路が設けられていることを特徴とする電源プレート。
【請求項２】
上記プレート本体は、上記バッテリ収容部に収容可能な略矩形の板状体をなし、
上記保持部が上記プレート本体の略中央部に設けられ、
上記導出路が、上記バッテリ収容部に収容された上記プレート本体の上記バッテリ収容部の開放端側の両角部に向かって形成されていることを特徴とする請求項１記載の電源プレート。
【請求項３】
上記導出路には、上記ケーブルを挟持する挟持片が設けられていることを特徴とする請求項１記載の電源プレート。
【請求項４】
さらに上記プレート本体の上記バッテリ収容部の開放端側の側縁部に向かう導出路が形成されていることを特徴とする請求項２記載の電源プレート。
【発明の詳細な説明】
【技術分野】
【０００１】
本発明は、電子機器のバッテリ収容部に収容されるとともに、電源と接続され、該電子機器に電力を供給する電源プレートに関する。
【背景技術】
【０００２】
従来より、乾電池などの一次電池や、リチウムイオン二次電池などの二次電池を用いるデジタルスチルカメラなどの電子機器においては、電池収容部内に一次電池や二次電池に替えて家庭電源等に接続された電源プレートが用いられ、家庭内や店頭展示などにおける長時間使用に供されている。
【０００３】
この種の電源プレート５０は、一次電池や二次電池と外形寸法を略同一に形成され、例えば図１４に示すように、電源本体５１と、ＡＣ／ＤＣコンバーター５３とを備える。電源本体５１は、一次電池や二次電池と同様な形状をなし、電池収容部６１に対応して第１、第２の円筒部５２ａ，５２ｂが長手方向と直交する方向に隣接して設けられている。このうち、第２の円筒部５２ｂは、長手方向の略中間部から挿入方向後端面にかけて断面略半円状に切り欠かれた切欠き部５４が形成され、この切欠き部５４の挿入方向前側の端面５４ａよりＡＣ／ＤＣコンバーター５３と接続されるケーブル５５が延設されている。ＡＣ／ＤＣコンバーター５３の他端には、ケーブル５３ａが接続されており、このケーブル５３ａの先端にはＡＣプラグ５３ｂが設けられている。
【０００４】
かかる電源プレート５０は、デジタルスチルカメラ６０の電池収容部６１内に収容されて用いられる。デジタルスチルカメラ６０には、電池収容部６１に隣接して第２の円筒部５２ｂのケーブル５５を外部に導出させるケーブル導出孔６２と、ケーブル導出孔６２を開閉するキャップ６３と、電池収容部６１を閉塞する電池蓋６４とが設けられている。ケーブル導出孔６２は、電池収容部６１の一端側からカメラ本体の右側面下部に亘って開口されている。キャップ６３は、カメラ本体の右側面に支持されると共に、ケーブル導出孔６２に嵌合されることによりカメラ本体の右側面の一部をなしている。
【０００５】
そして電源プレート５０は、電源本体５１が電池収容部６１内に収容されると、ケーブル導出孔６２にケーブル５５が挿通され、カメラ本体の外部へ導出される。そして、ＡＣ／ＤＣコンバーター５３のＡＣプラグ５３ｂを家庭や店内にあるコンセントに接続する。これにより、電源プレート５０は、ＡＣプラグ５３ｂから供給された交流がＡＣ／ＤＣコンバーター５３で直流に変換され、その直流を、第２の円筒部５２ｂを介して電源本体５１からデジタルスチルカメラ６０に供給する。
【０００６】
このようなケーブル導出孔６２を設けることにより、デジタルスチルカメラ６０は、電池収容部６１内に電源本体５１を収容して電池蓋６４により電池収容部６１を閉じた状態において、電源プレート５０のケーブル５５をデジタルスチルカメラ６０の外部に引き出すことができ、デジタルスチルカメラ６０に家庭電源等から交流を取り入れ直流に変換して電源として供給することができる。これによりデジタルスチルカメラ６０は、一次電池や二次電池のように電池容量を気にすることなく、長時間連続して使用することができる。
【０００７】
【特許文献１】特開２００６−２２９３５７号公報
【発明の開示】
【発明が解決しようとする課題】
【０００８】
ところで、かかる電源プレートや一次電池、二次電池が用いられる電子機器においては、電池収容部の形状を統一させ、二次電池や電源プレートを共用させたものが提案されている。これにより、電子機器に付属の二次電池に換えて、電池容量が増大された別売りの二次電池を用いて当該電子機器を使用したり、一の電源プレートを複数の電子機器で共用することが可能となる。
【０００９】
しかし、一の電源プレートを共用させる場合、電子機器によっては、ケーブル５５を外部へ導出するケーブル導出孔の位置が電源本体のケーブルの引き出し位置から離れてしまい、電池収容部内からケーブル５５を導出させることができない場合がある。また電源プレートは、電源端子の位置と電子機器本体側の端子位置とを合わせて挿入する必要があるため、ケーブルの引き出し位置とケーブル導出孔の位置とが必ずしも近接するように収容できるとは限らない。この場合に無理にケーブルを電池収容部内で引き回して外部へ導出させようとすると、ケーブルに捻れ部や屈曲部が発生するなどして、電池蓋が閉まらなくなる事態や、ケーブルあるいは電池収容部内に過剰な負荷がかかる場合がある。
【００１０】
そこで、本発明は、ケーブル導出孔の形成位置が異なる電子機器にも共用できる電源プレートを提供することを目的とする。
【課題を解決するための手段】
【００１１】
上述した課題を解決するために、本発明に係る電源プレートは、ホスト機器のバッテリ収容部に収容されるプレート本体と、一端が上記プレート本体に保持され、他端が上記バッテリ収容部の導出孔よりホスト機器外部に導出されるとともに電源と接続されるコネクタが形成されたケーブルとを備え、上記ホスト機器に駆動電源を供給する電源プレートにおいて、上記プレート本体には、上記ケーブルの一端を保持する保持部と、該保持部より上記プレート本体の外周方向に向かって形成され、上記ホスト機器に形成された導出孔の位置に応じて上記ケーブルの導出方向を変える複数の導出路が設けられているものである。
【発明の効果】
【００１２】
本発明に係る電源プレートによれば、導出路によってケーブルの導出方向がホスト機器の導出孔の位置に応じて導出方向が規制されているため、バッテリ収容部内に収容された場合にも、ケーブルに捻れや屈曲などをおこすことなく外部へ導出させることができる。したがって本発明に係る電源プレートは、異なるホスト機器のバッテリ収容部に収容することができるとともに、各ホスト機器毎に設けられたケーブルの導出孔に応じて、プレート本体からのケーブルの導出方向を変えることができ、ケーブルに捻れや屈曲などをおこすことなくケーブルをホスト機器外部へ導出させることができるため、各機種毎に電源プレートを用意する必要がない。したがって、例えば量販店などで複数の異なる機種を店頭展示する場合など長時間に亘って電力の供給を必要とする場合に、一の電源プレートを各機種共用とすることができ、また電源プレートの入れ間違いなども防止できる。
【発明を実施するための最良の形態】
【００１３】
以下、本発明が適用された電源プレートについて、図面を参照しながら詳細に説明する。本発明が適用された電源プレート１は、電子機器のバッテリ収容部に収容される二次電池と形状や大きさを略同じとされ、二次電池に換えてバッテリ収容部に収容されて用いられるものであり、図１に示すように、全体を矩形平板状に形成されたプレート本体２と、プレート本体２より引き出され電源と接続されるケーブル３とを有する。ケーブル３の先端にはＡＣ／ＤＣコンバーター４と接続される接続コネクタ５が形成されている。
【００１４】
そして電源プレート１は、図２に示すように、接続コネクタ５を介してＡＣ／ＤＣコンバーター４に接続されるとともに、ＡＣ／ＤＣコンバーター４に家庭内などにあるコンセントに接続されるコード６が接続されることにより、電源と接続される。これにより電源プレート１は、家庭用電源から電子機器側に電力を供給することができ、バッテリ残量を気にすることなく連続して電子機器を駆動させる。
【００１５】
この電源プレート１のプレート本体２は、図３に示すように、上下一対のハーフ１０，１１が突き合わせ結合されることにより略矩形平板状に形成されている。上ハーフ１０は、電子機器側のバッテリ収容部への挿入端となる前面壁１０ａが形成され、この前面壁１０ａには、バッテリ収容部内に設けられている電子機器側の電源端子と接触する正極端子部３１、負極端子部３２及び情報伝達用の端子部３３を前面側に臨ませる複数の端子孔１２が形成されている。また上ハーフ１０は、両側面の背面側が厚さ方向に立ち上がることにより薄く形成され、後述するケーブル３の導出領域２４を構成している。なお上ハーフ１０は、下方に向かって図示しないボスが立設され、下ハーフ１１側から挿通されたネジ１３が螺合されることにより下ハーフ１１と接続される。
【００１６】
また下ハーフ１１は、電源と接続されるケーブル３を挟持して保持する保持部１５と、ケーブル３の導出方向を規制する導出路１６が設けられた導出部１７が形成されている。また、下ハーフ１１は、上ハーフ１０と同様にバッテリ収容部への挿入端となる前面壁１１ａが形成され、ケーブル３の導線と接続された正極タブ１８及び負極タブ１９が挿通されるとともに、正極端子部３１、負極端子部３２及び情報端子部３３が形成された端子板２０を支持している。
【００１７】
ケーブル３を保持する保持部１５は、下ハーフ１１の主面の略中央部に設けられ、相対向して立設されたコ字状の支持壁２２，２２を有し、ケーブル３の外周部に嵌合された嵌合片２３が、支持壁２２，２２間に挟持されて形成されている。保持部１５は、嵌合片２３が支持壁２２，２２に挟持されることにより、ケーブル３をプレート本体２内に保持し、引っ張り等の外力に対してもケーブル３の抜けや切断などを防止する。
【００１８】
導出部１７は、プレート本体２の背面側に設けられ、保持部１５に保持されたケーブル３の導出方向を規制するものである。この導出部１７は、図３及び図４に示すように、下ハーフ１１の背面壁１１ｂよりも背面側が主面部よりも低く形成されることにより、背面壁１１ｂから引き出されたケーブル３が外部に導出される導出領域２４が設けられ、この導出領域２４に形成される。具体的に導出部１７は、下ハーフ１１の背面壁１１ｂに開口された開口部２５より引き出されたケーブル３を、プレート本体２の背面側の両角部２ａ，２ｂの何れか一方に分岐させる分岐部２６が形成されている。
【００１９】
開口部２５は、背面壁１１ｂの略中央が前面壁１１ａ側に向かって略Ｖ字状に形成され、その最も前面側に形成されている。開口部２５からは、保持部１５に保持されたケーブル３が導出領域２４に導出される。
【００２０】
また、分岐部２６は、下ハーフ１１の背面壁１１ｂよりもさらに背面側に形成され、略三角形状をなしその頂部が開口部２５と対峙されている。また分岐部２６は、頂部より一方の斜面がプレート本体２の背面側の一方の角部２ａに向かって形成され、他方の斜面がプレート本体２の背面側の他方の角部２ｂに向かって形成されている。なお、分岐部２６は、三角形状の底辺が下ハーフ１１の背面側の側縁となり、上ハーフ１０と接合されることにより、該上ハーフ１０の背面壁と連続される。
【００２１】
これにより導出部１７は、分岐部２６の斜面と下ハーフ１１の背面壁１１ｂとで、ケーブル３をプレート本体２の背面側の角部２ａ，２ｂの何れか一方に導出させる導出路１６ａ，１６ｂが形成される。そして導出部１７は、開口部２５より外方に引き出されたケーブル３を分岐部２６を介して導出路１６ａ，１６ｂの何れか一方に規制し、プレート本体２の背面側の角部２ａ，２ｂの何れかより導出させることができる。
【００２２】
なお、ケーブル３は、可撓性を有するため、保持部１５に保持された状態でも、開口部２５より先に導出された部分は、導出部１７によって左右いずれにも方向を換えることができる。そしてケーブル３は、導出部１７に導出方向を規制されることにより、図５に示すように、プレート本体２の背面側の一方の角部２ａと、略９０°移動させた他方の角部２ｂとにおいて、導出でき、また両角部２ａ，２ｂにおいてプレート本体２の背面方向や側方、斜め方向など、自在に導出できる。
【００２３】
また導出路１６には、ケーブル３を挟持する挟持片２７が立設されている。挟持片２７は、分岐部２６によって導出方向が規制されたケーブル３を挟持することにより、ケーブル３の揺動を防止するものであり、各導出路１６ａ，１６ｂに設けられている。挟持片２７は、図６に示すように、分岐部２６の両側壁２６ａ，２６ｂにそれぞれ設けられた第１の挟持片２７ａと、背面壁１１ｂの分岐部２６の両側壁２６ａ，２６ｂと対峙する位置にそれぞれ設けられた第２の挟持片２７ｂとを有し、これら第１，第２の挟持片２７ａ，２７ｂとが相対向して立設されている。
【００２４】
第１の挟持片２７ａは、下ハーフ１１の導出領域２４より立設され、上方には第２の挟持片２７ｂ側に向かって膨出することによりケーブル３の抜け止めを図る膨出部２８が形成されている。また第１の挟持片２７ａは、分岐部２６の側壁２６ａに第１の挟持片２７ａを囲むように凹部が形成されることにより、揺動可能に形成されている。第２の挟持片２７ｂは、背面壁１１ｂより第１の挟持片２７ａ側に膨出する膨出部２９が形成されている。
【００２５】
そして挟持片２７は、第１の挟持片２７ａが撓んでケーブル３が圧入されることにより、これを挟持する。挟持片２７に挟持されることにより、ケーブル３は、揺動することなくプレート本体２の背面側の角部２ａ，２ｂの何れか一方に導出される。
【００２６】
下ハーフ１１の前面壁１１ａには、正極タブ１８及び負極タブ１９が挿通、保持される挿通孔が形成されている。前面壁１１ａに保持される正極タブ１８及び負極タブ１９は、ニッケル（Ｎｉ）等の金属薄板からなり、下ハーフ１１内に配設されケーブル３の正極導線又は負極導線と接合される接合板部１８ａ，１９ａと、前面壁１１ａの挿通孔を介して前面側に突出され、端子板２０と溶接される溶接板部１８ｂ，１９ｂとを有する。各溶接板部１８ｂ，１９ｂは、端子板２０と接合された後、前面壁１１ａの挿通孔にガイドされて前面壁１１ａに沿うように約９０°に折り曲げられ、端子板２０を前面壁１１ａに当接させる。
【００２７】
また下ハーフ１１の前面壁１１ａには前面側に端子板２０を支持する支持凹部３０が形成されている。支持凹部３０は、端子板２０が前面壁１１ａの側縁部に当接されると、端子板２０に実装されている半導体チップや、正極タブ１８及び負極タブが溶接された溶接板が位置される。
【００２８】
前面壁１１ａに支持される端子板２０は、いわゆるリジット配線基板であり、前面側には上ハーフ１０の端子孔１２より外方に臨まされる正極端子部３１、負極端子部３２及び情報端子部３３が形成されている。正極端子部３１は、基板に形成された配線パターンにより背面側に設けられた溶接板を介して正極タブ１８と接続され、負極端子部３２は、同様に負極タブ１９と接続されている。情報端子部３３は、電子機器あるいは電源プレート１の識別情報などを送受信する情報伝達用の端子であり、端子板２０に実装された半導体素子と接続されている。
【００２９】
かかる電源プレート１は、開口部２５を挿通したケーブル３を保持部１５で保持した後、下ハーフ１１の前面壁１１ａに挿通、保持されている正極タブ１８及び負極タブ１９の各接合板部１８ａ，１９ａと、ケーブル３の正極導線及び負極導線とを半田などで接合する。次いで、前面壁１１ａの前面側に突出されている正極タブ１８及び負極タブ１９の溶接板部１８ｂ，１９ｂと、端子板２０の溶接板とを重ね、スポット溶接などにより溶接する。これにより端子板２０の正極端子部３１と正極タブ１８とが接続され、負極端子部３２と負極タブ１９とが接続される。
【００３０】
次いで、溶接板部１８ｂ，１９ｂを折り曲げることにより端子板２０を前面壁１１ａの前面側に当接させる。最後に上ハーフ１０と下ハーフ１１とをネジ１３で接続する。これにより電源プレート１は、上ハーフ１０に形成された端子孔１２より、端子板２０の正極端子部３１、負極端子部３２及び情報端子部３３が臨まされる。また端子板２０は、下ハーフ１１の前面壁１１ａと上ハーフ１０の前面壁１０ａとに挟持されることによって位置が固定される。また端子板２０は、各端子部３１〜３３が押圧された場合にも、当該押圧力が下ハーフ１１の前面壁１１ａによって受け止められることから、端子位置がずれることもない。
【００３１】
次いで、電源プレート１が用いられる電子機器のバッテリ収容部について説明する。この電子機器は、例えば図７（ａ）（ｂ）に示すようなデジタルスチルカメラ４０であり、図８に示すように、一側面に二次電池や電源プレート１が挿入されるバッテリ収容部４１が形成されている。バッテリ収容部４１は、デジタルスチルカメラ４０の一側面の下部に凹面部４３が形成され、この凹面部４３に二次電池や電源プレート１のサイズに応じた略矩形状の収容凹部４４と、ケーブル３を導出する導出部４５とが形成されている。
【００３２】
収容凹部４４は、最深部に正極端子、負極端子及び排出用の付勢部材などが設けられている。また収容凹部４４は、電池蓋４２によって開閉される。
【００３３】
導出部４５は、凹面部４３の収容凹部４４と隣接して設けられキャップ４６によって閉塞されている。キャップ４６は、弾性部材によって形成され、一辺を片持ち梁状にデジタルスチルカメラ４０に支持されることにより、電池蓋４２側を自由端とされている。そして導出部４５は、電源プレート１が収容凹部４４に収容されると（図２参照）、図９に示すように、キャップ４６が外側に撓んで開放され、ケーブル３を外部に導出させることができる。
【００３４】
デジタルスチルカメラ４０は、二次電池を用いる場合には、バッテリ収容部４１に二次電池を収容した後、詳細を省略する係止片によって二次電池をバッテリ収容部４１内に保持し、電池蓋４２が閉められる。このときデジタルスチルカメラ４０は、キャップ４６が閉塞されることにより電池蓋４２と面一とされているため、収容凹部４４が完全に閉塞される。
【００３５】
また電源プレート１を使用する際には、まず、導出部１７によって、電子機器のバッテリ収容部４１に形成された導出部４５の形成方向に応じてケーブル３の導出方向を変える。具体的に、図２及び図９に示すように、デジタルスチルカメラ４０のバッテリ収容部４１内へ収容する場合には、図１０に示すように、ケーブル３を一方の角部２ａ側に導出させる。
【００３６】
そして電源プレート１は、プレート本体２を収容凹部４４に収容すると共に、ケーブル３を導出部４５より導出する。このときデジタルスチルカメラ４０は、キャップ４６が外方に撓まされることで、ケーブル３を外方に導出させている。その後、電源プレート１は、接続コネクタ５を介してＡＣ／ＤＣコンバーター４に接続されるとともに、ＡＣ／ＤＣコンバーター４に家庭内などにあるコンセントに接続されるコード６が接続されることにより、電源と接続される。これにより電源プレート１は、家庭用電源からデジタルスチルカメラ４０側に電力を供給することができ、バッテリ残量を気にすることなく連続してデジタルスチルカメラ４０を駆動させることができる。
【００３７】
電源プレート１は、導出部１７によってケーブル３の導出方向がデジタルスチルカメラ４０の導出部４５の位置に応じて角部２ａ方向に規制されているため、バッテリ収容部４１内に収容された場合にも、ケーブル３に捻れや屈曲などをおこすことなく外部へ導出させることができる。したがって電源プレート１は、ケーブル３やバッテリ収容部４１の破損や過剰な負荷などの不具合を防止しながら家庭用電源を供給することができる。
【００３８】
また電源プレート１は、バッテリ収容部を同じ規格で形成された他の電子機器に用いる場合には、当該他の電子機器に形成されたケーブル３の導出部に応じて、ケーブル３の導出方向を変える。例えば、図１１に示すデジタルスチルカメラ４７のバッテリ収容部に収容する場合には、ケーブル３の導出部４８に応じて図１２に示すように、ケーブル３を他方の角部２ｂ側に導出させる。これにより電源プレート１は、ケーブル３に捻れや屈曲などをおこすことなく、デジタルスチルカメラ４７のバッテリ収容部にも収容することができる。
【００３９】
このように電源プレート１は、異なる機種のバッテリ収容部に収容することができるとともに、各機種毎に設けられたケーブルの導出孔に応じて、プレート本体２からのケーブル３の導出方向を変えることができ無理なくケーブル３を導出させることができるため、各機種毎に電源プレートを用意する必要がない。したがって、例えば量販店などで複数の異なる機種を店頭展示する場合など長時間に亘って電力の供給を必要とする場合に、電源プレートを機種毎に用意する必要が無く、また電源プレートの入れ間違いなども防止できる。
【００４０】
なお、本発明は、上述した電源プレート１のように、導出部が分岐部によってプレート本体の背面側の両角部２ａ，２ｂに分岐されるのみならず、例えば図１３に示すように、分岐部によって、両角部２ａ，２ｂに加えて背面方向へ導出させるようにしてもよい。
【００４１】
この場合、分岐部には下ハーフ１１の背面壁１１ｂとの間に導出路１６ａ，１６ｂが形成され、さらに開口部２５と対峙するように第３の導出路１６ｃが形成される。この第３の導出路１６ｃにも、挟持片２７ａ又は２７ｂを形成することができる。
【００４２】
かかる第３の導出路１６ｃが形成された導出部１７を備えることにより、本発明が適用された電源プレートは、ケーブル３の導出方向の選択肢を増やすことができ、さらにバッテリ収容部に形成されたケーブル導出部の位置が異なる複数の電子機器間で共用することができる。
【図面の簡単な説明】
【００４３】
【図１】本発明が適用された電源プレートを示す斜視図である。
【図２】本発明が適用された電源プレートの使用状態を示す斜視図である。
【図３】本発明が適用された電源プレートを示す分解斜視図である。
【図４】本発明が適用された電源プレート底面側から示す斜視図である。
【図５】ケーブルの導出方向を示す底面図である。
【図６】挟持片を示す斜視図である。
【図７】本発明が適用された電源プレートが用いられるデジタルスチルカメラを示す斜視図である。
【図８】バッテリ収容部を示す斜視図である。
【図９】バッテリ収容部に電源プレートが収容されたデジタルスチルカメラを示す斜視図である。
【図１０】ケーブルを一方の角部側から導出させている電源プレートを示す底面図である。
【図１１】本発明が適用された電源プレートが用いられる他のデジタルスチルカメラを示す斜視図である。
【図１２】ケーブルを他方の角部側から導出させている電源プレートを示す底面図である。
【図１３】プレート本体の背面方向に向かう第３の導出路を備えた電源プレートを示す底面図である。
【図１４】従来の電子機器及び電源プレートを示す斜視図である。
【符号の説明】
【００４４】
１  電源プレート、２  プレート本体、３  ケーブル、４  ＡＣ／ＤＣコンバーター、５  接続コネクタ、６  コード、１０  上ハーフ、１１  下ハーフ、１５  保持部、１６  導出路、１７  導出部、２０  端子板、２５  開口部、２６  分岐部、２７  挟持片、４０  デジタルスチルカメラ、４１  バッテリ収容部、４２  電池蓋、４５  導出部、４６  キャップ
【図１】
2008118393.tif 000003
【図２】
2008118393.tif 000004
【図３】
2008118393.tif 000005
【図４】
2008118393.tif 000006
【図５】
2008118393.tif 000007
【図６】
2008118393.tif 000008
【図７】
2008118393.tif 000009
【図８】
2008118393.tif 000010
【図９】
2008118393.tif 000011
【図１０】
2008118393.tif 000012
【図１１】
2008118393.tif 000013
【図１２】
2008118393.tif 000014
【図１３】
2008118393.tif 000015
【図１４】
2008118393.tif 000016